(57)【要約】【課題】外壁の仕上げ材料の如何にかかわらず、又、表面に凹凸を有する外壁面であっても、垂直性を保って簡単に竪樋を取り付けることができる竪樋支持装置を提供する。【解決手段】竪樋控え金具２と、該控え金具２を建物の外壁Ｗに固定する固定部材１と、軟質弾性材料から形成されたバックアップ材３とからなる竪樋支持装置であって、上記固定部材１は固定用ビス１１と該ビス１１を覆う中空のビスカバー部材１２とから構成され、該ビスカバー部材１２の一端は上記控え金具２の外壁面側に設けられた受け部２１に螺着されるとともに、上記固定用ビス１１は上記ビスカバー部材１２と、このビスカバー部材１２と外壁面との間に介装されるバックアップ材３とを挿通して外壁Ｗに捻じ込まれ、上記控え金具２が固定される竪樋支持装置。【選択図】図１
2007191907.tif 000002
【特許請求の範囲】
【請求項１】
竪樋控え金具と、該控え金具を建物の外壁に固定する固定部材と、軟質弾性材料から形成されたバックアップ材とからなる竪樋支持装置であって、上記固定部材は固定用ビスと該ビスを覆う中空のビスカバー部材とから構成され、該ビスカバー部材の一端は上記控え金具の外壁面側に設けられた受け部に螺着されるとともに、上記固定用ビスは上記ビスカバー部材と、このビスカバー部材と外壁面との間に介装されるバックアップ材とを挿通して外壁に捻じ込まれ、上記控え金具が固定される竪樋支持装置。
【請求項２】
上記バックアップ材がゴム弾性を有する合成樹脂から形成された請求項１に記載の竪樋支持装置。
【請求項３】
上記外壁面には化粧タイルが貼着され、固定用ビスがタイル目地を貫通して外壁に捻じ込まれる請求項１に記載の竪樋支持装置。
【発明の詳細な説明】
【技術分野】
【０００１】
本発明は、竪樋支持装置に関する。さらに詳しくは、竪樋を建物の外壁に取り付ける際に用いる控え金具を固定する竪樋支持装置に関する。
【背景技術】
【０００２】
従来、竪樋支持具としては、例えば、下記特許文献１に記載のように、竪樋を支持する樋支持部と、この樋支持部を建物の外壁に固定するための固定ビスとからなり、上記樋支持部側の脚部が外壁に穿孔された孔の内面形状に符合した外面形状を有する竪樋支持具が提案されている。そして、上記脚部を樋支持部と別体としたスペーサー部材とし、このスペーサー部材を上記孔に挿入することにより、凹凸面を有する外壁面に対して垂直性を保って竪樋支持具を取り付けることができる旨記載されている。
【特許文献１】特開２０００−３０３６３５号公報（第１〜３頁、第１図、第２図）
【発明の開示】
【発明が解決しようとする課題】
【０００３】
しかしながら、上記特許文献１に記載の竪樋支持具においては、建物の外壁に奥細りの円錐台状の内面形状を有する孔を穿つとともに、外面が上記孔にぴったりと符合するスペーサー部材を挿入し、がたつきのないように施工する必要があるため、作業性が悪いという問題がある。本発明は上記問題を解決して、外壁がモルタル仕上げ、窯業系外装材、化粧タイル等各種材料によって仕上げられている場合、その材料の如何にかかわらず、竪樋を略垂直に簡単に取り付けることができる竪樋支持装置を提供することを、その課題とする。
【課題を解決するための手段】
【０００４】
上記課題を解決するために、本発明においては、つぎのような技術的手段を講じている。すなわち、請求項１に記載の発明によれば、竪樋控え金具と、該控え金具を建物の外壁に固定する固定部材と、軟質弾性材料から形成されたバックアップ材とからなる竪樋支持装置であって、上記固定部材は固定用ビスと該ビスを覆う中空のビスカバー部材とから構成され、該ビスカバー部材の一端は上記控え金具の外壁面側に設けられた受け部に螺着されるとともに、上記固定用ビスは上記ビスカバー部材と、このビスカバー部材と外壁面との間に介装されるバックアップ材とを挿通して外壁に捻じ込まれ、上記控え金具が固定される竪樋支持装置が提供される。上記固定用ビスとビスカバー部材とは竪樋の出寸法に対応できるように、長さの異なるものを数種類準備しておくことが好ましい。また、上記ビスカバー部材は控え金具と同じく金属からなり、中空シャフト状に形成して固定用ビスを鞘状に覆うことが好ましい。
【０００５】
請求項２に記載の竪樋支持装置は、請求項１に記載の発明に加えて、上記バックアップ材がゴム弾性を有する軟質合成樹脂から形成されることが好ましい。例えば、軟質塩化ビニル樹脂、発泡ポリエチレン樹脂、合成ゴム等の軟質合成樹脂をあげることができる。好ましくは軟質塩化ビニル樹脂が用いられる。
【０００６】
請求項３に記載の竪樋支持装置は、請求項１に記載の発明に加えて、上記外壁が化粧タイルを貼着して仕上げられ、固定用ビスをタイルとタイルの間の目地を貫通して外壁に捻じ込む形態とされる。
【発明の効果】
【０００７】
請求項１に記載の発明にかかる竪樋支持装置は上記のとおりであり、竪樋控え金具と、該控え金具を建物の外壁に固定する固定部材と、軟質弾性材料から形成されたバックアップ材とからなるとともに、上記固定部材は固定用ビスと該ビスを覆う中空シャフト状のビスカバー部材とから構成され、上記バックアップ材がビスカバー部材と外壁面との間に介装されるため、固定用ビスを上記ビスカバー部材とバックアップ材の略中央部に設けられた挿通孔を通して外壁に捻じ込んだとき、バックアップ材がクッションの役目を果たし、上記外壁面を傷付けることなく、垂直性を保って竪樋を取り付けることができる。また、竪樋の建物の外壁面からの出寸法に応じて固定用ビスとビスカバー部材とを選択することにより、該ビスカバー部材が固定用ビスを覆って見栄えよく施工することができる。
【０００８】
請求項２に記載の竪樋支持装置は上記のとおりであり、請求項１の竪樋支持装置の有する効果に加え、上記バックアップ材がゴム弾性を有する軟質合成樹脂から形成されているため、外壁の表面形状に合わせて弾性変形し、外壁がモルタル仕上げ、窯業系外装材、化粧タイル等、いずれの材料によって仕上げられ、表面に凹凸があってもぴったりと当接し、外壁面との垂直性を保って、控え金具を取り付けることができる。
【０００９】
請求項３に記載の竪樋支持装置は上記のとおりであり、請求項１の竪樋支持装置の有する効果に加え、上記外壁に化粧タイルを貼着して施工した場合においても、タイルとタイルとの間の目地を貫通して固定用ビスを捻じ込むことにより、竪樋支持装置を外壁に対して垂直に見栄えよく取り付けることができる。
【発明を実施するための最良の形態】
【００１０】
以下、本発明の実施形態について図面を参照して、詳細に説明する。図１は本発明にかかる竪樋支持装置を示す分解斜視図である。図１に示すように、上記竪樋支持装置は、竪樋を保持する控え金具２と、固定用ビス１１およびビスカバー部材１２とからなる固定部材１と、軟質塩化ビニル樹脂等、ゴム弾性を有する材料から形成されたバックアップ材３とから構成される。このバックアップ材３は図示しない外壁面と上記ビスカバー部材１２の当接面１２１との間に介装され、その略中央部には上記固定用ビス１１が挿通する挿通孔３１が設けられている。
【００１１】
上記控え金具２の外壁面側にはビスカバー部材１２を装着する受け部２１が設けられ、この受け部２１の内面には上記ビスカバー部材１２の一端にネジ切りされた雄ネジに螺合する雌ネジが螺刻されている。また、既述したように、竪樋８の外壁面からの出寸法に応じて、固定用ビス１１とこの固定用ビス１１を覆う中空のビスカバー部材１２を選んで控え金具２を取り付ける。なお、符号４は竪樋を保持した控え金具２を合一して係止するための係止ピンを示す。
【００１２】
図２は、上記竪樋支持装置を外壁Wの表面に貼られた化粧タイル５の目地６を貫通して外壁Ｗに取り付け、竪樋８を保持した状態を示す側面図である。以下本発明にかかる竪樋支持装置を取り付ける方法について説明する。図２に示すように、まず、電動ドリル等を用いて目地６を貫通し、固定用ビス１１が螺入するビス孔７を外壁Ｗに穿つ。ついで、一端を受け部２１に螺着された上記ビスカバー部材１２の当接面１２１と目地６との間にバックアップ材３を介装し、該ビスカバー部材１２、バックアップ材３及び目地６を貫通せる固定用ビス１１を上記ビス孔７に捻じ込む。このようにすることにより、控え金具２を外壁Ｗにしっかりと取り付けることができる。
【００１３】
図２に示されているように、上記ビスカバー部材１２と目地６との間に介装されたバックアップ材３は目地６の外形に合わせて弾性変形し、ぴったりと当接するとともに、ビスカバー部材１２の当接面１２１が化粧タイル５等外壁表面に直接接触して傷付けることのないようにクッション材の役目を果たす。かくして、控え金具２は所定状態でしっかりと外壁Ｗに取り付けられる。このようにして固定された控え金具２に竪樋８を通し、リングを合一して係止ピン４で係止することにより、竪樋８を地面に略垂直に見栄えよく保持することができる。
【００１４】
上記した実施形態はバックアップ材３の外径が目地６の幅よりも狭い場合について述べたが、上記外径が目地幅よりも大きい場合においてもバックアップ材３は目地６を挟んで上下の化粧タイル５と弾性的に当接し、控え金具２を外壁Ｗに略垂直に取り付けることができる。また、化粧タイル５を貼着して施工した場合のみならず、モルタル仕上げ、窯業系外装材等によって外壁Ｗが仕上げられている場合でも本発明にかかる竪樋支持金具を適用することができる。このように本発明は、種々設計変更可能であり、特許請求の範囲を逸脱しない限り、いずれの場合においても本発明の技術的範囲に属する。
【図面の簡単な説明】
【００１５】
【図１】本発明にかかる竪樋支持装置を示す分解斜視図である。
【図２】本発明にかかる竪樋支持装置を外壁に取り付け、竪樋を保持した状態を示す側面図である。
【符号の説明】
【００１６】
１          固定部材
１１        固定用ビス
１２        ビスカバー部材
１２１      当接面
２          控え金具
２１        受け部
３          バックアップ材
３１        挿通孔
４          係止ピン
５          化粧タイル
６          目地
７          ビス孔
８          竪樋
Ｗ          外壁
【図１】
2007191907.tif 000003
【図２】
2007191907.tif 000004